(57)【要約】      （修正有）【課題】補強板の剥れを防止し、部品実装しても部品に応力がかからず、ハーネスとして機能する上で十分な引張強度を有するフレキシブル基板の固定構造を提供する。【解決手段】フレキシブル基板１を取付対象に固定する構造において、フレキシブル基板１の部品Ａを実装した個所の裏面に補強板３を貼り付け、この補強板３が嵌まり込む凹４所を有するとともに、この凹所４の両側表面を凹所４から遠ざかるに従って緩やかに低くなるスロープ部５に形成した固定部材２に前記フレキシブル基板１を取り付け、この固定部材２のスロープ部５にフレキシブル基板１を載置し、前記固定部材２を取付対象に固定する。【選択図】図１
2008258497.tif 000002
【特許請求の範囲】
【請求項１】
フレキシブル基板を取付対象に固定する構造において、
フレキシブル基板の部品を実装した個所の裏面に補強板を貼り付け、
この補強板が嵌まり込む凹所を有するとともに、この凹所の両側表面を凹所から遠ざかるに従って緩やかに低くなるスロープ部に形成した固定部材に前記フレキシブル基板を取り付け、
この固定部材のスロープ部にフレキシブル基板を載置し、
前記固定部材を取付対象に固定したことを特徴とするフレキシブル基板の固定構造。
【請求項２】
前記固定部材にフレキシブル基板を挟むように上部固定部材を取り付けたことを特徴とする請求項１に記載のフレキシブル基板の固定構造。
【請求項３】
前記固定部材と上部固定部材とに挟まれたフレキシブル基板の外部に出る個所の上部固定部材の端を曲面に形成したことを特徴とする請求項２に記載のフレキシブル基板の固定構造。
【発明の詳細な説明】
【技術分野】
【０００１】
本発明は、電子機器のケース内などに設けた取付対象にフレキシブル基板を取り付け、固定するための構造に関する。
【背景技術】
【０００２】
従来のこの種の固定構造としては、フレキシブル基板（ＦＰＣ）の取付部に角穴を形成し、この角穴の一辺中央から延びるスリットを形成し、取付対象（例えばケース内のベース板）に突出係止部としてリブ状に形成した取付用リブを形成し、ＦＰＣをこの取付対象に取り付け、固定するときは、取付用リブにスリット部分を押し付けることによりスリット部分を変形させてこの変形した部分で取付用リブを両側から挟持するようにしてＦＰＣを取付対象に固定するものが知られていた（特許文献１参照）。
【０００３】
また、ＦＰＣを撓ませることなく取付対象に取付け、固定する従来例としては、電気部品の間を電気的に接続する導電パターンをシート材料により挟み込んだＦＰＣの固定部材への取付構造であって、ＦＰＣに、固定部材に設けた固定手段を挿通する同一または異形の開口を少なくとも２つ以上設け、固定部材の固定手段として、ＦＰＣの開口を挿通可能に形成され該ＦＰＣを固定する固定面または該固定面の延長面に対向して平面方向に移動した該開口の縁に対面する対向部を有する引掛部と、該引掛部の対向部に対面する状態のＦＰＣの異なる開口に対応する部位に形成され該開口への挿通により該開口に係合してＦＰＣの移動を係止する係止部と、を設けたものも知られている（特許文献２参照）。
【０００４】
さらに、フレキシブル基板に切り欠き部分をつくることで、弾性変形する個所を特定させ、実装部品に弾性変形による応力が加わることを防止したものも知られている。これは、一辺のみを残して周囲を切り欠いた領域を形成し、この領域内にクリップが嵌合する嵌合孔を配置するとともに、領域の残る一辺を屈曲部とし、この屈曲部を折り曲げて基板を弾性変形させ、領域の一辺のみを残して周囲を切り欠いた領域のみを押し下げ／押し上げることによって嵌合孔に固定部材（取付対象）のクリップを挿入／解除するものである（特許文献３参照）。
【特許文献１】特開平７−７４４８６号公報（第３頁、図２）
【特許文献２】特開平９−１６２５７１号公報（第２頁、図１）
【特許文献３】特開２００６−３０３２５１号公報（第５頁、図１）
【発明の開示】
【発明が解決しようとする課題】
【０００５】
特許文献１に記載の固定構造は、スリットの両側の部分のＦＰＣ自身の剛性により取付用リブを挟持するだけであり、このリブからＦＰＣが簡単に抜け出るおそれがあった。また、特許文献２に記載の固定構造は、引掛部を有するフックと、このフックにＦＰＣの方形穴を引掛けたときに円形穴と位置が一致するように形成されたクリップとを有するが、穴径とクリップの軸径との差分による位置ずれや、クリップの縦方向のずれが生じるおそれがあった。また、特許文献２では、ＦＰＣに部品を実装することを想定した記載はなく、仮に部品を実装した場合、ＦＰＣを撓ませる個所が部品実装個所であったとき、部品に応力が加えられ、悪影響が及ぶおそれもあった。さらに、特許文献３に記載の構造では、基板に補強板を貼り付けた個所の境目に加わる力による不都合（補強板の剥れ）防止策はとられておらず、かつ基板を部品実装部につながるハーネスも兼ねるものとして考慮されていない。
【０００６】
そこで、本発明は、補強板の剥れを防止し、強固な固定を可能とし、実装された部品に応力がかからず、ハーネスとして機能する上での十分な引張強度を有するフレキシブル基板の固定構造を提供することを目的とする。
【課題を解決するための手段】
【０００７】
上述の目的を達成するため、本発明は、フレキシブル基板を取付対象に固定する構造において、フレキシブル基板の部品を実装した個所の裏面に補強板を貼り付け、この補強板が嵌まり込む凹所を有するとともに、この凹所の両側表面を凹所から遠ざかるに従って緩やかに低くなるスロープ部に形成した固定部材にフレキシブル基板を取り付け、この固定部材のスロープ部にフレキシブル基板を載置し、前記固定部材を取付対象に固定したものである。
【発明の効果】
【０００８】
本発明によれば、フレキシブル基板を取付対象に固定する構造において、フレキシブル基板の部品を実装した個所の裏面に補強板を貼り付け、この補強板が嵌まり込む凹所を有するとともに、この凹所の両側表面を凹所から遠ざかるに従って緩やかに低くなるスロープ部に形成した固定部材に前記フレキシブル基板を取り付け、この固定部材のスロープ部にフレキシブル基板を載置し、前記固定部材を取付対象に固定したので、補強板とフレキシブル基板との剥れが防止され、部品実装部分の両側から延びるフレキシブル基板がスロープ部に載置されることでハーネスとして扱う際にハーネス全体の引張強度を増加させることができ、取付対象にも強固に固定することができる。
【発明を実施するための最良の形態】
【０００９】
以下に、本発明の好適な実施形態について図面を参照にして説明する。
【００１０】
図１は、フレキシブル基板（ＦＰＣ）１とこのＦＰＣを取り付ける固定部材２とを示し、ＦＰＣ１に部品Ａが実装され、この部品Ａの実装個所の裏面に補強板３を貼り付けてある。前記固定部材２には、補強板３が嵌まり込む凹所４を設けてあり、この凹所４に補強板３を嵌め込んだときに、この凹所１４の二辺から延びるＦＰＣ１の部分が載置される表面は遠ざかるに従って緩やかに低くなるスロープ部５に形成してある。また、これらスロープ部５の左右両側にはフランジ６を延出形成してあり、これらフランジ６に取付穴６Ａを形成してある。図２は、補強板３を凹所４に嵌め込んでＦＰＣ１を固定部材２に取り付けた状態を示す。補強板４の厚さと大きさに凹所４の深さと大きさをほぼ合致させ、嵌め込み時にガタつきがないようにすることが好ましい。このとき、ＦＰＣ１の部品Ａの実装個所両側は、スロープ部５に載置される。
【００１１】
図３に示す実施形態は、固定部材２の形状を若干変えた例を示し、スロープ部５とフランジ部６とに段差がないものであり、取付穴６Ａも４ケ形成してある。これら取付穴６Ａを利用して、取付対象１０にネジなどにより固定部材２を固定し、結果としてＦＰＣ１を取付対象１０に取り付け、固定する。
【００１２】
図４は、固定部材２の上に上部固定部材７を固着する実施形態を示し、部品Ａが実装された個所を開口させ、スロープ部５上のＦＰＣ１を挟持するようになっている。上部固定部材７と固定部材２とは、取付穴７Ａ、６Ｂを介して、ネジなどでＦＰＣ１を挟むようにして固着される。また、上部固定部材７のＦＰＣ１が外部へ延びる個所でのＦＰＣ１との接触個所は、すなわち上部固定部材７の端を曲面７Ｂに形成してあり、ＦＰＣ１の破断を防止するようになっている（図５参照）。
【００１３】
固定部材２の凹所４に補強板３を嵌め込んで、補強板３を凹所４に接着剤などで固定するだけでもよいが、図４に示すように、上部固定部材７をカバーとして取り付けることにより、ＦＰＣ１の固定部材２への取り付けはより確実なものとなる。
【図面の簡単な説明】
【００１４】
【図１】固定部材にＦＰＣを取り付ける前の斜視図。
【図２】固定部材にＦＰＣを取り付けた斜視図。
【図３】取付対象に取り付けた斜視図。
【図４】上部固定部材を取り付けた断面図。
【図５】図４の部分拡大図。
【符号の説明】
【００１５】
１    ＦＰＣ
２    固定部材
３    補強板
４    凹所
５    スロープ部
１０  取付対象
Ａ    部品
【図１】
2008258497.tif 000003
【図２】
2008258497.tif 000004
【図３】
2008258497.tif 000005
【図４】
2008258497.tif 000006
【図５】
2008258497.tif 000007